(57)【要約】【課題】別途ファイル等を必要とせず、各月のカレンダーを同時に一目で見ることができるようにする。  【解決手段】所定期間分のカレンダー欄１２，１３，２２を含む表示欄１１，２１が設けられたアコーディオン形状からなる折り畳み紙２と、折り畳み紙２の一端部２ａに設けられたフロントカバー３と、折り畳み紙２の他端部２ｂに設けられたバックカバー４とを備え、折り畳み紙２の一端部２ａ側に、フロントカバー３を切取除去するための前部切取線Ｃ１が設けられ、折り畳み紙２の他端部２ｂ側に、バックカバー４を切取除去するための後部切取線Ｃ２が設けられている。【選択図】図１
2009039969.tif 000002
【特許請求の範囲】
【請求項１】
所定期間分のカレンダー欄を含む表示欄が設けられたアコーディオン形状からなる折り畳み紙と、
前記折り畳み紙の一端部に設けられたフロントカバーと、
前記折り畳み紙の他端部に設けられたバックカバーとを備え、
前記折り畳み紙の一端部側に、前記フロントカバーを切取除去するための前部切取線が設けられ、
前記折り畳み紙の他端部側に、前記バックカバーを切取除去するための後部切取線が設けられていることを特徴とするアコーディオン型のスケジュール帳。
【請求項２】
前記折り畳み紙は、前記前部切取線又は前記後部切取線に沿った接着表示部を有している請求項１に記載のアコーディオン型のスケジュール帳。
【請求項３】
前記折り畳み紙は、その表裏両面に前記表示欄を有しており、
前記折り畳み紙の表面の表示欄と前記折り畳み紙の裏面の表示欄とは上下逆に設けられている請求項１又は２に記載のアコーディオン型のスケジュール帳。
【請求項４】
前記表示欄はグラフ欄を含み、
前記グラフ欄は、前記折り畳み紙において前記フロントカバー側から前記バックカバー側に向けて延設されている請求項１乃至３のいずれかに記載のアコーディオン型のスケジュール帳。
【請求項５】
前記グラフ欄は、前記前部切取線から前記後部切取線まで延在している請求項４に記載のアコーディオン型のスケジュール帳。
【発明の詳細な説明】
【技術分野】
【０００１】
本発明は、アコーディオン型で折り畳み可能なカレンダー付きのスケジュール帳に関するものである。
【背景技術】
【０００２】
従来、スケジュール管理などに利用されるブックタイプのカレンダー付き手帳やルーズリーフタイプのシステム手帳が提供されている。このような手帳は１年単位で１冊となっているのが通常であり、月毎のページ数が多い場合には、１冊当たりのページ数が増大してしまい、手帳の大型化及び重量の増加を招いている。実際のスケジュール管理では、１ヶ月程度の予定表があれば済むため、このような不要な月の分まで１冊として持ち運ぶ手帳は、携帯性に優れているとは言えない。
【０００３】
そこで、１ヶ月分のみのカレンダーが付いた手帳が提案されている（例えば、特許文献１参照）。この手帳は、１ヶ月分のカレンダー欄を複数ページにわたって設けた折り畳み紙のみからなり、カレンダー欄のページ境界部に切取線が設けられ、その切取線に沿ってファイリング用の綴込孔が形成されている。
【特許文献１】特開２０００−１５８８５２号公報
【発明の開示】
【発明が解決しようとする課題】
【０００４】
しかしながら、特許文献１に開示された手帳は、フロントカバー及びバックカバーの付いていない単なる折り畳み紙であり、使用後に切取線でページ毎に分割してファイルに綴じられるものである。よって、複数の月のカレンダーを蓄積しようと思えば、別途ファイルを購入する必要が生じる。しかも、折り畳み紙を切取線で分断してファイルに綴じた状態では、ページ毎に切り離された用紙となっているため、各月のカレンダーを同時に一目で見ることはできない。
【０００５】
そこで本発明は、別途ファイル等を必要とせず、各月のカレンダーを同時に一目で見ることができるようにすることを目的としている。
【課題を解決するための手段】
【０００６】
本発明は上述のような事情に鑑みてなされたものであり、本発明に係るアコーディオン型のスケジュール帳は、所定期間分のカレンダー欄を含む表示欄が設けられたアコーディオン形状からなる折り畳み紙と、前記折り畳み紙の一端部に設けられたフロントカバーと、前記折り畳み紙の他端部に設けられたバックカバーとを備え、前記折り畳み紙の一端部側に、前記フロントカバーを切取除去するための前部切取線が設けられ、前記折り畳み紙の他端部側に、前記バックカバーを切取除去するための後部切取線が設けられていることを特徴とする。
【０００７】
前記構成によれば、前回分のスケジュール帳のバックカバーを後部切取線で切取除去し、次回分のスケジュール帳のフロントカバーを前部切取線で切取除去し、各回の折り畳み紙を切取部分で接続して繋ぎ合わせることができる。これにより、複数回分が連続した折り畳み紙の両端部にフロントカバー及びバックカバーを有する拡大した１冊のスケジュール帳が容易に形成される。したがって、別途ファイル等を必要とせずに、各回のカレンダー等を同時に一目で見ることが可能となる。
【０００８】
前記折り畳み紙は、前記前部切取線又は前記後部切取線に沿った接着表示部を有していてもよい。
【０００９】
前記構成によれば、前回分のスケジュール帳のバックカバーを後部切取線で切取除去し、次回分のスケジュール帳のフロントカバーを前部切取線で切取除去し、接着表示部を相手側のスケジュール帳の切取線に沿って糊付け等することで、各回の折り畳み紙を容易に繋ぎ合わせることが可能となる。
【００１０】
前記折り畳み紙は、その表裏両面に前記表示欄を有しており、前記折り畳み紙の表面の表示欄と前記折り畳み紙の裏面の表示欄とは上下逆に設けられていてもよい。
【００１１】
前記構成によれば、折り畳み紙の表面の表示欄をユーザが見た状態で、フロントカバーが一端側（例えば、左側）に、前記バックカバーが他端側（例えば、右側）に配置されると共に、折り畳み紙の裏面の表示欄をユーザが見た状態でも、フロントカバーが一端側（例えば、左側）に、バックカバーが他端側（例えば、右側）に配置される。よって、複数回分の折り畳み紙を連続して繋げた場合に、カレンダー等の表示を表裏両面ともに一端側（例えば、左側）から他端側（例えば、右側）に時系列配置することが可能となる。
【００１２】
前記表示欄はグラフ欄を含み、前記グラフ欄は、前記折り畳み紙において前記フロントカバー側から前記バックカバー側に向けて延設されていてもよい。
【００１３】
前記構成によれば、複数回分の折り畳み紙を連続して繋げた場合に、グラフ欄が複数回にわたって連なるように表示され、各回のグラフを同時に一目で見ることが可能となる。
【００１４】
前記グラフ欄は、前記前部切取線から前記後部切取線まで延在していてもよい。
【００１５】
前記構成によれば、複数回分の折り畳み紙を連続して繋げた場合に、グラフ欄が複数回にわたってシームレスに連続し、複数回分を跨いだグラフ比較を容易に行うことが可能となる。
【発明の効果】
【００１６】
以上の説明から明らかなように、本発明によれば、前回分のスケジュール帳のバックカバーを切取除去し、次回分のスケジュール帳のフロントカバーを切取除去し、各回の折り畳み紙を切取部分で接続して拡大された１冊のスケジュール帳を形成することで、別途ファイル等を必要とせずに、各回のカレンダー等を同時に一目で見ることが可能となる。
【００１７】
また、折り畳み紙には切取線に沿った接着表示部が設けられることで、各回の折り畳み紙を容易に繋ぎ合わせることが可能となる。さらに、折り畳み紙の表面の表示欄と裏面の表示欄とは上下逆に設けられることで、複数回分の折り畳み紙を連続して繋げた場合に、カレンダー等の表示を表裏両面ともに一端側から他端側の一方向に時系列配置することが可能となる。また、折り畳み紙において、グラフ欄をフロントカバー側からバックカバー側に向けて前部切取線から後部切取線まで延設することで、複数回分の折り畳み紙を連続して繋げた場合に、グラフ欄が複数回にわたってシームレスに連続し、複数回分を跨いだグラフ比較を容易に行うことが可能となる。
【発明を実施するための最良の形態】
【００１８】
以下、本発明に係る実施形態を図面を参照して説明する。なお、以下の説明で用いる方向の概念は、ユーザがスケジュール帳１を見開いて表面１０を見たときの方向を基準とする。
【００１９】
図１は本発明の実施形態に係るアコーディオン型のスケジュール帳１を表側から見た斜視図である。図２は図１に示すスケジュール帳１を上下逆さにして裏側から見た斜視図である。図１及び図２に示すように、スケジュール帳１は、アコーディオン形状からなる折り畳み紙２と、折り畳み紙２の一端部２ａに接続されたフロントカバー３と、折り畳み紙２の他端部２ｂに接続されたバックカバー４とを備えている。
【００２０】
折り畳み紙２は、その表面１０及び裏面２０にそれぞれ後述する表示欄１１，２１が印刷されている。折り畳み紙２は、その表面１０の表示欄１１と裏面２０の表示欄２１とが上下逆になるように形成されている。フロントカバー３及びバックカバー４は、折り畳み紙２よりも剛性の高い厚紙からなり、折り畳み紙２が折り畳まれた状態とほぼ同じ形状・大きさである。
【００２１】
図３は図１に示すスケジュール帳１の表面１０の一部破断展開図である。図４は図１に示すスケジュール帳１の上下逆さにした状態における裏面２０の一部破断展開図である。図５は図１に示すスケジュール帳１のフロントカバー３近傍を表側から見た要部拡大斜視図である。図３及び図４に示すように、折り畳み紙２の一端部２ａ側に、フロントカバー３を切取除去するための前部切取線Ｃ１，Ｃ３が２ヶ所印刷されており、折り畳み紙２の他端部２ｂ側には、バックカバー４を切取除去するための後部切取線Ｃ２が１ヶ所印刷されている。
【００２２】
具体的には、スケジュール帳１には、アコーディオン状に折り畳むための折り曲げ線Ｆ１〜Ｆｎが左右に所定の間隔をあけて上下方向に形成されている。前部切取線Ｃ１は、折り畳み紙２の左から３番目の折り曲げ線Ｆ３から若干間隔をあけた左側に上下方向に印刷されている。そして、前部切取線Ｃ１と折り曲げ線Ｆ３との間の領域に、前部切取線Ｃ１に沿うように接着表示部１５が印刷されている。この接着表示部１５には、前部切取線Ｃ１で切断することと、接着表示部１５を先月分に繋げて接着手段（例えば、両面テープや糊など）により貼ることをユーザに知らせるテキスト（図示せず）が印刷されている。また、後部切取線Ｃ２は、折り畳み紙２の他端部２ｂの折り曲げ線Ｆｎに沿って上下方向に印刷されている。
【００２３】
さらに、図５に示すように、折り畳み紙２の一端部２ａは、フロントカバー３の裏面に重なるように接続されており、その接続端が第２の前部切取線Ｃ３となっている。そして、その前部切取線Ｃ３と左から１番目の折り曲げ線Ｆ１との間の領域に、前部切取線Ｃ３に沿うように第２の接着表示部１６が印刷されている。この接着表示部１６は、図３のように広げた状態では、フロントカバー３の裏面に重なって隠れている。また、接着表示部１６には、前部切取線Ｃ３で切断することと、接着表示部１６を先月分に繋げて接着手段（例えば、両面テープや糊など）により貼ることをユーザに知らせるテキスト（図示せず）が印刷されている。
【００２４】
図３に示すように、折り畳み紙２の表面１０の表示欄１１は、月間カレンダー欄１２、週間カレンダー欄１３及びグラフ欄１４を有している。月間カレンダー欄１２は、折り畳み紙２の左から１番目の折り曲げ線Ｆ１と左から３番目の折り曲げ線Ｆ３との間でマトリックス状に印刷されている。週間カレンダー欄１３は、折り畳み紙２の左から３番目の折り曲げ線Ｆ１と右から１番目の折り曲げ線Ｆｎとの間の上部領域で週ごとに左から右へ間隔をあけて１ヶ月分印刷されている。グラフ欄１４は、折り畳み紙２の左から３番目の折り曲げ線Ｆ１と右から１番目の折り曲げ線Ｆｎとの間の下部領域で、マトリックス状の罫線が印刷されており、前部切取線Ｃ１から後部切取線Ｃ２まで延在している。
【００２５】
図４に示すように、折り畳み紙２の裏面２０の表示欄２１は、月間カレンダー欄２２、週間小遣いメモ欄２３及びグラフ欄２４を有している。月間カレンダー欄２２は、折り畳み紙２の左から１番目の折り曲げ線Ｆ１と左から３番目の折り曲げ線Ｆ３との間でマトリックス状に印刷されている。週間小遣いメモ欄２３は、折り畳み紙２の左から３番目の折り曲げ線Ｆ１と右から１番目の折り曲げ線Ｆｎとの間の上部領域で週ごとに左から右へ間隔をあけて１ヶ月分印刷されている。グラフ欄２４は、折り畳み紙２の左から３番目の折り曲げ線Ｆ１と右から１番目の折り曲げ線Ｆｎとの間の下部領域で、マトリックス状の罫線が印刷されており、前部切取線Ｃ１から後部切取線Ｃ２まで延在している。
【００２６】
次に、前月分のスケジュール帳１Ａに対して次月分のスケジュール帳１Ｂを繋ぎ合わせる手順について説明する。なお、前月分のスケジュール帳１Ａと次月分のスケジュール帳１Ｂの基本的な構成は同一であり、１ヶ月分のスケジュール帳が毎月ユーザのもとに配達されるものとする。
【００２７】
図６は図３に示すスケジュール帳１Ａ，１Ｂの各月の連結作業を説明する表側から見た一部破断展開図である。図７は図４に示すスケジュール帳１Ａ，１Ｂの各月の連結作業を説明する裏側から見た一部破断展開図である。図８は図６に示すスケジュール帳１Ａ，１Ｂの各月の連結完了状態を示す表側から見た一部破断展開図である。図９は図７に示すスケジュール帳１Ａ，１Ｂの各月の連結完了状態を示す裏側から見た一部破断展開図である。
【００２８】
図６及び図７に示すように、まず、前月分のスケジュール帳１Ａのバックカバー４（図３及び図４参照）を後部切取線Ｃ２で切取除去し、次月分のスケジュール帳１Ｂのフロントカバー３及び月間カレンダー欄１２を前部切取線Ｃ１で切取除去する。次いで、次月分のスケジュール帳１Ｂの接着表示部１５を前月分のスケジュール帳１Ａの後部切取線Ｃ２に沿って接着手段（例えば、両面テープや糊など）により接着し、互いを繋ぎ合わせる。
【００２９】
そうすると、図８及び図９に示すように、２ヶ月分が連続した折り畳み紙２の両端部に前月分のフロントカバー３Ａ及び次月分のバックカバー４Ｂを有する拡大した１冊のスケジュール帳が形成される。これのような作業を１２ヶ月分繰り返すことで、別途ファイル等を必要とせずに、１年分の内容を含む１冊のスケジュール帳が容易に形成されることとなる。
【００３０】
さらに、グラフ欄１４，２４は、前部切取線Ｃ１から後部切取線Ｃ２まで延在しているので、前記拡大した１冊のスケジュール帳において、グラフ欄１４，２４が複数回にわたってシームレスに連なるように表示され、複数月分を跨いだグラフ比較を容易に行うことが可能となり、利便性が向上する。
【００３１】
また、折り畳み紙２は、その表面１０と裏面２０の両面に表示欄１１，２１を有しており、表面１０の表示欄１１と裏面２０の表示欄２１とは上下逆に設けられている。これにより、前記拡大した１冊のスケジュール帳において、表面１０の表示欄１１をユーザが見た状態で、フロントカバー３Ａが左側に、バックカバー４Ｂが右側に配置されると共に、裏面２０の表示欄２１をユーザが見た状態でも、フロントカバー３Ａが左側に、バックカバー４Ｂが右側に配置される。よって、複数回分の折り畳み紙２を連続して繋げた場合でも、週間カレンダー欄１３、週間小遣いメモ欄２３及びグラフ欄１４，２４の表示を表裏両面１０，２０ともに左側から右側に時系列配置することが可能となる。
【００３２】
また、２つある前部切取線Ｃ１，Ｃ３のうち、グラフ欄１４の直ぐ左にある前部切取線Ｃ１で切り取りを行う代わりに、月間カレンダー欄１２の直ぐ左にある第２の前部切取線Ｃ３で切り取りを行ってもよい。具体的には、前月分のスケジュール帳１Ａのバックカバー４を後部切取線Ｃ２で切取除去し、次月分のスケジュール帳１Ｂのフロントカバー３を第２の前部切取線Ｃ３で切取除去する。次いで、次月分のスケジュール帳１Ｂの接着表示部１６を前月分のスケジュール帳１Ａの後部切取線Ｃ２に沿って接着手段（例えば、両面テープや糊など）により接着し、互いを繋ぎ合わせる。そうすると、各月の月間カレンダー１４が含まれた状態で、複数月にわたる拡大した１冊のスケジュール帳を形成することが可能となる。つまり、２つある前部切取線Ｃ１，Ｃ３のうち何れで切り取りを行うかはユーザが自由に選択することができる。
【産業上の利用可能性】
【００３３】
以上のように、本発明に係るアコーディオン型のスケジュール帳は、別途ファイル等を必要とせずに、各回のカレンダー等を同時に一目で見ることができる優れた効果を有し、この効果の意義を発揮できるスケジュール帳に広く適用すると有益である。
【図面の簡単な説明】
【００３４】
【図１】本発明の実施形態に係るアコーディオン型のスケジュール帳を表側から見た斜視図である。
【図２】図１に示すスケジュール帳を上下逆さにして裏側から見た斜視図である。
【図３】図１に示すスケジュール帳の表面の一部破断展開図である。
【図４】図１に示すスケジュール帳の上下逆さにした状態における裏面の一部破断展開図である。
【図５】図１に示すスケジュール帳のフロントカバー近傍を表側から見た要部拡大斜視図である。
【図６】図３に示すスケジュール帳の各月の連結作業を説明する表側から見た一部破断展開図である。
【図７】図４に示すスケジュール帳の各月の連結作業を説明する裏側から見た一部破断展開図である。
【図８】図６に示すスケジュール帳の各月の連結完了状態を示す表側から見た一部破断展開図である。
【図９】図７に示すスケジュール帳の各月の連結完了状態を示す裏側から見た一部破断展開図である。
【符号の説明】
【００３５】
１（１Ａ，１Ｂ）  スケジュール帳
２  折り畳み紙
２ａ  一端部
２ｂ  他端部
３（３Ａ）  フロントカバー
４（４Ｂ）  バックカバー
１０  表面
１１，２１  表示欄
１２，２２  月間カレンダー欄
１３  週間カレンダー欄
１４，２４  グラフ欄
１５  接着表示部
２０  裏面
Ｃ１，Ｃ３  前部切取線
Ｃ２  後部切取線
【図１】
2009039969.tif 000003
【図２】
2009039969.tif 000004
【図３】
2009039969.tif 000005
【図４】
2009039969.tif 000006
【図５】
2009039969.tif 000007
【図６】
2009039969.tif 000008
【図７】
2009039969.tif 000009
【図８】
2009039969.tif 000010
【図９】
2009039969.tif 000011